(57)【要約】【課題】複数のＳＩＭとアプリケーションの制御の対応を容易に行う。【解決手段】対応記憶部４１は、ＳＩＭカード３の加入者情報（電話番号）とアプリケーションの対応を記憶している。通信機器２が起動すると、加入者情報読出部４６がＳＩＭカード３に加入者情報の送信を要求する。これを受け、ＳＩＭカード３では、制御部５１が加入者情報記憶部５２から加入者情報を読み出して通信機器２に送信する。制御部４５は、加入者情報読出部４６からＳＩＭカード３の加入者情報を受け取り、対応記憶部４１で当該加入者情報に対応づけられているアプリケーションを確認する。そして、登録アプリ４２は、アプリケーション選択部４４に対して当該アプリケーションの起動を指令し、アプリケーション選択部４４は、アプリケーション群４３のうち、指令されたアプリケーションを起動する。【選択図】図２
2009177361.tif 000002
【特許請求の範囲】
【請求項１】
通信事業者が提供する通信サービスにおいて利用者を特定する加入者情報を記憶したＩＣチップと接続するＩＣチップ接続手段と、
前記接続したＩＣチップから、加入者情報を取得する加入者情報取得手段と、
加入者情報とアプリケーションを対応して記憶する対応記憶手段と、
前記取得した加入者情報と前記対応記憶手段で記憶している加入者情報と、を照合することにより、前記取得した加入者情報に対応するアプリケーションを特定するアプリケーション特定手段と、
前記特定したアプリケーションに対して所定の制御を行う制御手段と、
を具備したことを特徴とする通信端末。
【請求項２】
前記制御手段は、前記特定したアプリケーションを起動することを特徴とする請求項１に記載の通信端末。
【請求項３】
前記制御手段は、前記特定したアプリケーションを動作可能とし、特定されなかったアプリケーションを動作不可とすることを特徴とする請求項１に記載の通信端末。
【請求項４】
加入者情報を入力する加入者情報入力手段と、
アプリケーションを指定するアプリケーション指定手段と、
前記入力した加入者情報と当該指定したアプリケーションを前記対応記憶手段に対応づけて記憶することにより登録する登録手段と、
を具備したことを特徴とする請求項１、請求項２、又は請求項３に記載の通信端末。
【請求項５】
前記ＩＣチップ接続手段は、前記ＩＣチップと直接的に、又は間接的に接続することを特徴とする請求項１から請求項４までのうちの何れか１の請求項に記載の通信端末。
【請求項６】
前記ＩＣチップ接続手段は、無線端末を介して前記ＩＣチップに接続することを特徴とする請求項１から請求項４までのうちの何れか１の請求項に記載の通信端末。
【請求項７】
通信事業者が提供する通信サービスにおいて利用者を特定する加入者情報を記憶したＩＣチップから、加入者情報を取得する加入者情報取得機能と、
加入者情報とアプリケーションを対応して記憶する対応記憶機能と、
前記取得した加入者情報と前記対応記憶機能で記憶した加入者情報と、を照合することにより、前記取得した加入者情報に対応するアプリケーションを特定するアプリケーション特定機能と、
前記特定したアプリケーションに対して所定の制御を行う制御機能と、
をコンピュータで実現するコンピュータプログラム。
【発明の詳細な説明】
【技術分野】
【０００１】
本発明は、通信端末、及びコンピュータプログラムに関し、例えば、装着したＳＩＭに対応するアプリケーションに所定の制御を行うものに関する。
【背景技術】
【０００２】
携帯電話網などの無線を用いた通信サービスには、ＳＩＭ（Ｓｕｂｓｃｒｉｂｅｒ  Ｉｄｅｎｔｉｔｙ  Ｍｏｄｕｌｅ  Ｃａｒｄ）と呼ばれるＩＣチップを通信端末に装着するものがある。
ＳＩＭには、加入者情報によって、電話番号を特定する固有の番号が付与されており、これにより通信端末は当該電話番号にて通信可能となる。
そのため、通信端末のＳＩＭを入れ替えると、当該通信端末を、入れ替え後のＳＩＭに対応した電話番号にて使用できるようになる。
【０００３】
通信端末としては、例えば、携帯電話やパーソナルコンピュータなどがあり、それぞれＳＩＭを装着することにより、当該ＳＩＭに記録されている電話番号にて携帯電話網などの通信ネットワークに接続することができる。
このように、ＳＩＭは、通信機器をＳＩＭに記録された電話番号を有する通信端末として機能させることができる。
【０００４】
ところで、１つの通信端末で複数のＳＩＭを利用したい場合が考えられ、このため、次の特許文献１の「無線通信端末」のように、複数枚のＳＩＭを装着できる通信端末が提案されている。
【特許文献１】特開２００４−１５９０６２公報
【０００５】
この技術は、無線通信端末に複数のＳＩＭを装着し、これを切り替えることにより、１台の無線通信端末を複数の無線通信端末として使用できるようにするものである。
【発明の開示】
【発明が解決しようとする課題】
【０００６】
複数のＳＩＭに対応してそれぞれアプリケーションを選択するような場合、上記の構成では、複数のＳＩＭスロットを備えた上、アプリケーションの制御をＳＩＭごとに異なるようにする必要があるため、ハードウェア構成が複雑化すると共に装置も大型化し、コストが上昇するという問題があった。
【０００７】
そこで、本発明は、複数のＳＩＭとアプリケーションの制御の対応を容易に行うことを目的とする。
【課題を解決するための手段】
【０００８】
本発明は、前記目的を達成するために、請求項１に記載の発明では、通信事業者が提供する通信サービスにおいて利用者を特定する加入者情報を記憶したＩＣチップと接続するＩＣチップ接続手段と、前記接続したＩＣチップから、加入者情報を取得する加入者情報取得手段と、加入者情報とアプリケーションを対応して記憶する対応記憶手段と、前記取得した加入者情報と前記対応記憶手段で記憶している加入者情報と、を照合することにより、前記取得した加入者情報に対応するアプリケーションを特定するアプリケーション特定手段と、前記特定したアプリケーションに対して所定の制御を行う制御手段と、を具備したことを特徴とする通信端末を提供する。
請求項２に記載の発明では、前記制御手段は、前記特定したアプリケーションを起動することを特徴とする請求項１に記載の通信端末を提供する。
請求項３に記載の発明では、前記制御手段は、前記特定したアプリケーションを動作可能とし、特定されなかったアプリケーションを動作不可とすることを特徴とする請求項１に記載の通信端末を提供する。
請求項４に記載の発明では、加入者情報を入力する加入者情報入力手段と、アプリケーションを指定するアプリケーション指定手段と、前記入力した加入者情報と当該指定したアプリケーションを前記対応記憶手段に対応づけて記憶することにより登録する登録手段と、を具備したことを特徴とする請求項１、請求項２、又は請求項３に記載の通信端末を提供する。
請求項５に記載の発明では、前記ＩＣチップ接続手段は、前記ＩＣチップと直接的に、又は間接的に接続することを特徴とする請求項１から請求項４までのうちの何れか１の請求項に記載の通信端末を提供する。
請求項６に記載の発明では、前記ＩＣチップ接続手段は、無線端末を介して前記ＩＣチップに接続することを特徴とする請求項１から請求項４までのうちの何れか１の請求項に記載の通信端末を提供する。
請求項７に記載の発明では、通信事業者が提供する通信サービスにおいて利用者を特定する加入者情報を記憶したＩＣチップから、加入者情報を取得する加入者情報取得機能と、加入者情報とアプリケーションを対応して記憶する対応記憶機能と、前記取得した加入者情報と前記対応記憶機能で記憶した加入者情報と、を照合することにより、前記取得した加入者情報に対応するアプリケーションを特定するアプリケーション特定機能と、前記特定したアプリケーションに対して所定の制御を行う制御機能と、をコンピュータで実現するコンピュータプログラムを提供する。
【発明の効果】
【０００９】
本発明によれば、ＳＩＭとアプリケーションの対応を記憶することにより、複数のＳＩＭとアプリケーションの制御の対応を容易に行うことができる。
【発明を実施するための最良の形態】
【００１０】
（１）実施の形態の概要
ＳＩＭを搭載したデータ通信カードと専用の自動起動アプリケーションを用いて、自動起動アプリケーションでＳＩＭの加入者情報（電話番号等）に対応したアプリケーションを登録すると、自動起動アプリケーションのラウンチャ機能によって、挿入されているＳＩＭの加入者情報を呼び出し、登録されているアプリケーションを起動する。これによってＳＩＭによる起動アプリケーション切り替えツールを提供することができる。
【００１１】
対応記憶部４１（図２）は、ＳＩＭカード３の加入者情報（電話番号）とアプリケーションの対応を記憶している。
通信機器２が起動すると、加入者情報読出部４６がＳＩＭカード３に加入者情報の送信を要求する。これを受け、ＳＩＭカード３では、制御部５１が加入者情報記憶部５２から加入者情報を読み出して通信機器２に送信する。
【００１２】
制御部４５は、加入者情報読出部４６からＳＩＭカード３の加入者情報を受け取り、対応記憶部４１で当該加入者情報に対応づけられているアプリケーションを確認する。
そして、登録用アプリ４２は、アプリケーション選択部４４に対して当該アプリケーションの起動を指令し、アプリケーション選択部４４は、アプリケーション群４３のうち、指令されたアプリケーションを起動する。
【００１３】
このように、ユーザは、通信機器２を起動すると、予めＳＩＭカード３に対応づけられているアプリケーションを自動的に起動することができる。
また、変形例では、対応記憶部４１でＳＩＭカード３に対応づけられているアプリケーションを使用可とし、他のアプリケーションを使用不可として、ＳＩＭカード３により使用できるアプリケーションを制限する。
【００１４】
（２）実施の形態の詳細
図１は、本実施の形態に係る通信端末のハードウェア的な構成の一例を示した図である。
通信端末１は、大きく分けて、通信機器２とＳＩＭカード３から構成されている。
通信機器２は、例えば、パーソナルコンピュータ、携帯電話、ＰＤＡ（Ｐｅｒｓｏｎａｌ  Ｄｉｇｉｔａｌ  Ａｓｓｉｓｔａｎｔ）などの端末装置で構成されている。
本実施の形態では、一例として、通信端末１がパーソナルコンピュータで構成されているものとして説明するが、携帯電話などでも構成は基本的に同様である。
【００１５】
通信機器２は、例えば、通信回路２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、記憶部２５、入力部２６、出力部２７、インターフェース２８、ＳＩＭスロット２９、その他の機能部を用いて構成されている。
【００１６】
通信回路２１は、通信機器２と図示しない基地局とを無線によって接続する。通信機器２は、通信回路２１を介して通信ネットワークと接続し、データの送受信を行うことができる。
【００１７】
ＣＰＵ２２は、通信機器２を機能させるための基本的なソフトウェアであるＯＳ（Ｏｐｅｒａｔｉｎｇ  Ｓｙｓｔｅｍ）や、記憶部２５に記憶された各種アプリケーションプログラムを実行することにより、これらアプリケーションの機能を実現したりする。
また、ＣＰＵ２２は、アプリケーションの機能により通信回路２１を動作させて、外部のネットワークと無線通信することもできる。
【００１８】
ＲＯＭ２３は、読み出し専用のメモリであり、ＣＰＵ２２が機能するための基本的なプログラムやパラメータなどを記憶している。
ＲＡＭ２４は、読み書きが可能なメモリであり、ＣＰＵ２２が動作する際にワーキングメモリを提供したりする。
【００１９】
記憶部２５は、例えば、ハードディスクなどの大容量の記憶媒体を備えた記憶装置であり、ＯＳや各種のアプリケーションプログラム、その他のプログラムやデータなどを記憶している。
ＣＰＵ２２は、記憶部２５に記憶されている自動起動プログラムを実行してＳＩＭに対応するアプリケーションを起動したり、起動したアプリケーションを動作させたりなど、各アプリケーションが提供する様々な機能をユーザに提供する。
なお、通信端末１が携帯電話などで構成されている場合には、記憶部２５は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などで構成することができる。
【００２０】
入力部２６は、例えば、キーボードといった文字コードなどを入力する入力デバイス、マウスやトラックボールなどのポインティングデバイス、マイクロフォンなどの音声入力デバイス、その他の入力デバイスを備えており、ユーザからコマンドや情報などの入力を受け付ける。
出力部２７は、例えば、液晶ディスプレイなどの表示デバイスや、スピーカなどの音声出力デバイスなどを備えており、ユーザに対して文字や画像、音声などを表示する。
【００２１】
ユーザは、入力部２６や出力部２７を用いて、アプリケーションを操作したり、通信回路２１を介して通信ネットワークに接続したりして、アプリケーションの提供するサービスを利用することができる。
【００２２】
インターフェース２８は、ＳＩＭスロット２９に形成されている電極と、通信回路２１〜出力部２７を接続する信号線を接続するインターフェースである。
後述するように、ＳＩＭカード３に取り付けられたＩＣチップは、通信事業者が提供する通信サービスにおいて利用者を特定する加入者情報を記憶したＩＣチップとして機能しており、インターフェース２８は、当該ＩＣチップと接続するＩＣチップ接続手段として機能している。
【００２３】
ＳＩＭスロット２９は、ＳＩＭカード３に形成された電極と接続する電極を備え、ＳＩＭカード３と電気的に接続すると共に、ＳＩＭカード３を着脱可能に物理的に通信機器２に固定するスロットである。
【００２４】
ＳＩＭカード３は、ＣＰＵ３２、ＲＯＭ３３、ＲＡＭ３４、記憶部３５などが形成されたＩＣチップにインターフェース３１を設けて、樹脂製のケースに収納して構成されている。
インターフェース３１には、ＩＣチップの端子と導通し、ＳＩＭスロット２９の電極と接続する電極が設けられている。
【００２５】
ＣＰＵ３２は、所定のプログラムに従って動作し、通信機器２からの要求に応じて加入者情報を通信機器２に提供したりなどする。
ＲＯＭ３３は、読み出し専用のメモリであり、ＣＰＵ３２が機能するための基本的なプログラムやパラメータなどを記憶している。
ＲＡＭ３４は、読み書きが可能なメモリであり、ＣＰＵ３２が動作する際にワーキングメモリを提供したりする。
【００２６】
記憶部３５は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）といった不揮発性の半導体メモリなどによって構成されており、ＣＰＵ３２を動作させるプログラムや、加入者情報などを記憶している。
【００２７】
記憶部３５には、加入者情報（電話番号）が記憶されており、通信機器２は、通信回路２１を介して通信ネットワークと通信する場合、当該加入者情報による電話番号にて通信を行う。
なお、本実施の形態では、加入者情報を電話番号により規定したが、通信事業者がユーザを特定できる情報であればよい。
このように、ＳＩＭカード３のＩＣチップは、通信事業者が提供する通信サービスにおいて利用者を特定する加入者情報を記憶したＩＣチップとして機能している。
【００２８】
以上のように、本実施の形態では、通信機器２に通信回路２１を設け、ＳＩＭカード３を挿入可能に構成したが、通信機器２が通信回路２１を備えずに、通信回路２１とＳＩＭカード３を有するカード型の無線デバイスを通信機器２に装着するように構成することもできる。この場合、通信機器２は、無線デバイスの回路構成を介してＳＩＭカード３に間接的に接続している。
この場合、通信機器２は、無線デバイスを用いて基地局と無線接続する。
【００２９】
図２は、通信端末の機能的な構成を説明するための図である。
通信機器２において、対応記憶部４１は、記憶部２５（図１）に形成されている。
そして、アプリケーション選択部４４、制御部４５、加入者情報読出部４６は、自動起動アプリケーション（ラウンチャ）を構成し、記憶部２５に記憶された自動起動プログラムをＣＰＵ２２で実行することにより形成される。
【００３０】
また、登録用アプリ４２、アプリケーション群４３のアプリケーションＡ〜ｎは、記憶部２５が記憶しているアプリケーションプログラムをＣＰＵ２２が実行することにより構成される。
アプリケーション群４３を構成するアプリケーションＡ〜ｎは、自動起動アプリケーションの制御対象となるアプリケーションであり、後述の変形例においては、動作可・不可の制御対象となるアプリケーションである。
【００３１】
対応記憶部４１は、ＳＩＭカード３の加入者情報と起動するアプリケーションの対応を記憶している。
対応記憶部４１は、加入者情報とアプリケーションを対応して記憶する対応記憶手段として機能している。
【００３２】
登録用アプリ４２は、自動起動するアプリケーションを対応記憶部４１に登録する機能をユーザに提供するアプリケーションである。
登録用アプリ４２は、加入者情報とアプリケーションの対応を対応記憶部４１に記憶させるのみならず、対応を解除したりなど、加入者情報とアプリケーションの対応を編集することができる。
【００３３】
アプリケーション群４３は、アプリケーションＡ、Ｂ、・・・、ｎの複数のアプリケーションから構成されている。
アプリケーションＡ、Ｂ、・・・、ｎは、例えば、電子メール用のアプリケーション、ウェブブラウザ、株価分析プログラム、ゲームなど、通信ネットワークと無線通信してユーザにサービスを提供するもののほか、ワードプロセッサーなど、通信ネットワークを用いないアプリケーションを含んでもよい。
【００３４】
アプリケーション選択部４４は、制御部４５から指定されたアプリケーションを選択的に起動する。
このように、登録用アプリ４２、アプリケーション群４３の各アプリケーションは、アプリケーション選択部４４によって起動することができる。
また、ユーザが起動アイコンをクリックするなどしてこれらを起動することもできる。
【００３５】
制御部４５は、通信機器２の起動時に加入者情報読出部４６からＳＩＭカード３の加入者情報を取得し、これを対応記憶部４１の対応と照合することにより、ＳＩＭカード３に対応づけられているアプリケーションを特定する。
そして、制御部４５は、アプリケーション選択部４４に指令して当該アプリケーションを起動させる。
【００３６】
加入者情報読出部４６は、通信機器２の起動時に、インターフェース２８、ＳＩＭスロット２９、インターフェース３１を介してＳＩＭカード３にアクセスし、ＳＩＭカード３から加入者情報を読み出して制御部４５に通知する。
【００３７】
一方、ＳＩＭカード３では、制御部５１、加入者情報記憶部５２などが形成されている。
制御部５１は、記憶部３５（図１）に記憶されている所定のプログラムをＣＰＵ３２で実行することにより形成され、加入者情報読出部４６からの要求を受けて、加入者情報記憶部５２から加入者情報を読み出して加入者情報読出部４６に送信する。
加入者情報記憶部５２は、記憶部３５に形成されており、電話番号などの加入者情報を記憶している。
【００３８】
図３は、対応記憶部４１が記憶している対応の一例を示した図である。
図に示したように対応記憶部４１は、加入者情報とアプリケーションを対応して記憶している。
加入者情報は、通信ネットワークでユーザ（加入者）を特定する情報であり、本実施の形態では、ユーザの電話番号を用いている。
アプリケーションは、アプリケーション選択部４４で起動可能なアプリケーションのうち、加入者情報に対応づけられたものである。
なお、図３では、１つの加入者情報に対して１つのアプリケーションを対応させているが、１つの加入者情報に対して複数のアプリケーションを対応させることもできる。
【００３９】
以上のように構成された通信端末１で、アプリケーションを自動起動する手順を図４のフローチャートを用いて説明する。
ＳＩＭカード３は、通信機器２に装着されているものとする。
まず、ユーザが通信機器２の電源をオンすると自動起動アプリケーションが起動し（ステップ５）、制御部４５がＳＩＭカード３に対して加入者情報を要求する（ステップ１０）。
【００４０】
ＳＩＭカード３では、制御部５１が当該要求を受け、加入者情報記憶部５２から加入者情報を読み出して制御部４５に送信する（ステップ１５）。
制御部４５は、ＳＩＭカード３から加入者情報を受信すると（ステップ２０）、対応記憶部４１で当該加入者情報が登録済みか否かを確認する（ステップ２５）。
このように、通信機器２は、インターフェース２８に接続したＳＩＭカード３のＩＣチップから、加入者情報を取得する加入者情報取得手段を備えている。
当該加入者情報が対応記憶部４１に登録されていない場合（ステップ２５；Ｎ）、通信機器２は、アプリケーションを起動せずに起動する。
【００４１】
登録済みの加入者情報がある場合（ステップ２５；Ｙ）、制御部４５は、当該加入者情報に対応づけられているアプリケーションがあるか否か、ある場合には何れのアプリケーションであるかを対応記憶部４１で確認する（ステップ３０）。
このように、通信機器２は、ＳＩＭカード３から取得した加入者情報と対応記憶手段（対応記憶部４１）で記憶している加入者情報を照合することにより、ＳＩＭカード３から取得した加入者情報に対応するアプリケーションを特定するアプリケーション特定手段を備えている。
【００４２】
対応するアプリケーションがあった場合（ステップ３５；Ｙ）、制御部４５は、アプリケーション選択部４４に対応するアプリケーションを起動するように指令し、アプリケーション選択部４４は、対応するアプリケーションを起動する（ステップ６０）。
このように、通信機器２は、ステップ３５で特定したアプリケーションに対して所定の制御（本実施の形態では起動）を行う制御手段を備えている。
【００４３】
対応するアプリケーションが無かった場合（ステップ３５；Ｎ）、制御部４５は、アプリケーション選択部４４に指令して登録用アプリ４２を起動させる（ステップ４０）。
登録用アプリ４２は、起動するとアプリ選択画面をディスプレイに表示する（ステップ４５）。
【００４４】
アプリ選択画面では、ＳＩＭカード３から読み取った加入者情報と、対応づけ可能なアプリケーションの一覧が選択可能に表示され、ユーザがアプリケーションを選択することにより加入者情報と自動起動するアプリケーションを対応づけられるようになっており、登録用アプリ４２は、このようにしてユーザからの選択を受け付ける（ステップ５０）。
【００４５】
登録用アプリ４２は、ユーザの選択を受け付けると、当該アプリケーションをＳＩＭカード３の加入者情報に対応づけて対応記憶部４１に記憶し（ステップ５５）、当該アプリケーションを起動する（ステップ６０）。
以上のように、本実施の形態では、通信機器２の起動時に、予めＳＩＭカード３に対応づけられたアプリケーションを自動的に起動することができる。そして、通信機器２は、ＳＩＭカード３に対してアプリケーションが登録されていない場合には、特に自動起動は行わない。
【００４６】
次に、図５のフローチャートを用いて、ＳＩＭカード３やアプリケーションを登録する手順について説明する。図４と同じ処理には同じステップ番号を付して説明する。
まず、ユーザの操作などにより、ＳＩＭカード３は、登録用アプリ４２を起動する（ステップ１０５）。
登録用アプリ４２は、対応記憶部４１から加入者情報とアプリケーションの対応を読み出す（ステップ１１０）。
【００４７】
次に、登録用アプリ４２は、ＳＩＭカード３がＳＩＭスロット２９に挿入済みか確認する（ステップ１１５）。
挿入済みで無い場合（ステップ１１５；Ｎ）、登録用アプリ４２は、処理を終了する。
ＳＩＭカード３が挿入されている場合（ステップ１１５；Ｙ）、登録用アプリ４２は、ＳＩＭカード３にアクセスして加入者情報を要求する（ステップ１２０）。
ＳＩＭカード３は、当該要求を受けて、加入者情報を登録用アプリ４２に送信する（ステップ１２５）。
【００４８】
登録用アプリ４２は、ＳＩＭカード３から加入者情報を受信すると（ステップ１３０）、ステップ１１０で読み出した対応と比較し、ＳＩＭカード３の加入者情報が登録済みか否かを確認する（ステップ１３５）。
登録済みで無かった場合（ステップ１３５；Ｎ）、登録用アプリ４２は、ＳＩＭカード３の加入者情報を対応記憶部４１に記憶してこれを追加する（ステップ１４０）。
このように、通信機器２は、ＳＩＭカード３から加入者情報を読み取って入力する加入者情報入力手段を備えている。
【００４９】
ステップ１４０で加入者情報を追加した後、あるいは、ＳＩＭカード３の加入者情報が登録済みであった場合（ステップ１３５；Ｙ）、登録用アプリ４２は、図４と同様に、アプリ選択画面を表示し（ステップ４５）、アプリケーションの選択を受け付け（ステップ５０）、加入者情報とアプリケーションの対応を対応記憶部４１に記憶する（ステップ５５）。
【００５０】
このように、通信機器２は、選択画面からの受付によってアプリケーションを指定するアプリケーション指定手段と、ＳＩＭカード３から読み込んで入力した加入者情報と当該指定したアプリケーションを対応記憶手段（対応記憶部４１）に対応づけて記憶することにより登録する登録手段を備えている
【００５１】
以上では、ＳＩＭカード３を新規に登録する場合、アプリケーションとＳＩＭカード３を対応づける場合について説明したが、対応記憶部４１から登録済みのＳＩＭカード３やアプリケーションを削除することもできる。
このように、通信機器２は、ＳＩＭカード３を挿入して登録用アプリ４２を起動すると、ＳＩＭカード３に設けられているＳＩＭの加入者情報（電話番号）を呼び出してアプリ選択画面を表示することができ、当該ＳＩＭに対して自動起動したいアプリケーションを登録することができる。
【００５２】
なお、以上の例では、アプリケーションの登録をＳＩＭカード３のユーザが選択可能としているが、これとは別に通信事業者が各通信事業者毎の固有のサービスに対応したアプリケーションのみを動作可とし、ユーザによる選択を不可能にするような構成にしてもよい。
このような構成により、通信事業者は自身の通信サービスの加入者に固有のサービスを提供できるとともに、他の通信事業者のＳＩＭカード３による利用を不可とすることが可能となる。
【００５３】
次に、本実施の形態の変形例について説明する。
本変形例では、ＳＩＭカード３に対応してアプリケーションの動作を制限する。即ち、対応記憶部４１でＳＩＭカード３に対応づけられているアプリケーションは、動作することができるが、それ以外のアプリケーションは、動作を制限するものである。
【００５４】
このように、ＳＩＭカード３によって動作できるアプリケーションを選択的に設定することにより、例えば、複数のユーザが個々にＳＩＭカード３を所有し、それぞれ自己のアプリケーションを使用でき、他者の使用を制限することができる。
【００５５】
本変形例に係る通信機器２の動作を図６のフローチャートを用いて説明する。図４と同じ処理には同じステップ番号を付し、説明を簡略化・省略することにする。
通信機器２は、起動すると（ステップ５）、ＳＩＭカード３に加入者情報を要求し（ステップ１０）、ＳＩＭカード３は、加入者情報を通信機器２に送信する（ステップ１５）。
【００５６】
通信機器２は、ＳＩＭカード３から加入者情報を受信すると（ステップ２０）、対応記憶部４１で登録済みか確認し（ステップ２５）、登録されていない場合には（ステップ２５；Ｎ）、処理を終了する。
当該加入者情報が登録されている場合には（ステップ２５；Ｙ）、通信機器２は、対応記憶部４１で当該加入者情報に対応づけられているアプリケーションを確認する（ステップ３０）。
【００５７】
アプリケーション群４３に当該対応するアプリケーションがある場合（ステップ３５；Ｙ）、通信機器２は、これを動作可に設定すると共に（ステップ７０）、他のアプリケーションを動作不可に設定する。
対応するアプリケーションが無い場合（ステップ３５；Ｎ）、通信機器２は、アプリケーション群４３のアプリケーションを使用不可に設定する。
先に説明した実施の形態の制御手段は、アプリケーションを自動的に起動したが、本変形例では、対応記憶部４１の対応で特定されたアプリケーションを動作可能とし、特定されなかったアプリケーションを動作不可としている。
【００５８】
このように、本変形例では、自動起動アプリケーション以外のアプリケーションをＳＩＭカード３未挿入時、若しくは加入者情報未確認時に動作不可としておき、ＳＩＭカード３が挿入され、加入者情報確認が確認された後、所定のアプリケーションを動作可とする。
これにより、特定のＳＩＭカード３の所有者のみが所定の対応するアプリケーションを使用できるようになり、通信端末１の利便性の向上や、他者による無断使用の防止などが可能となる。
【００５９】
以上に説明した本実施の形態、又は変形例によって、次のような効果を得ることができる。
（１）単一のＳＩＭスロット２９でＳＩＭカード３による自動起動アプリケーションを切り替えるため、ハードウェアの構成が複雑にならず、コストダウンを図ることができる。
（２）ユーザは、ＳＩＭカード３の加入者情報をいちいち確認してからアプリケーションを起動する手間を省くことができる。
（３）ＳＩＭカード３と起動するアプリケーションの対応を複数設定・編集することができる。
（４）ＳＩＭカード３に対応してアプリケーションの動作可・不可を設定することができる。
（５）ＳＩＭを搭載したデータ通信カードと専用アプリケーションにおいて、専用アプリケーションの登録機能によりで加入者情報（電話番号等）に対応したアプリケーションを登録すると、専用アプリケーションのラウンチャによって、挿入されているＳＩＭの加入者情報を呼び出し、登録されているアプリケーションを起動することができる。
【図面の簡単な説明】
【００６０】
【図１】本実施の形態に係る通信端末のハードウェア的な構成の一例を示した図である。
【図２】通信端末の機能的な構成を説明するための図である。
【図３】対応記憶部が記憶している対応の一例を示した図である。
【図４】アプリケーションを自動起動する手順を説明するためのフローチャートである。
【図５】ＳＩＭカードやアプリケーションを登録する手順について説明するためのフローチャートである。
【図６】本変形例に係る通信機器の動作を説明するためのフローチャートである。
【符号の説明】
【００６１】
１  通信端末
２  通信機器
３  ＳＩＭカード
２１  通信回路
２２  ＣＰＵ
２３  ＲＯＭ
２４  ＲＡＭ
２５  記憶部
２６  入力部
２７  出力部
２８  インターフェース
２９  ＳＩＭスロット
３１  インターフェース
３２  ＣＰＵ
３３  ＲＯＭ
３４  ＲＡＭ
３５  記憶部
４１  対応記憶部
４２  登録用アプリ
４３  アプリケーション群
４４  アプリケーション選択部
４５  制御部
４６  加入者情報読出部
５１  制御部
５２  加入者情報記憶部
【図１】
2009177361.tif 000003
【図２】
2009177361.tif 000004
【図３】
2009177361.tif 000005
【図４】
2009177361.tif 000006
【図５】
2009177361.tif 000007
【図６】
2009177361.tif 000008